(57)【要約】【課題】本発明は、互いに対向する補強コード層の先端部同士の重なりを抑制することができるゴムクローラを提供することを目的とする。【解決手段】無端帯状のクローラ本体と、クローラ周方向Ｓに延在し一端及び他端が互いに離間した状態でクローラ本体に埋設され、長さ方向の端縁がクローラ周方向Ｓに対して傾斜した第１補強コード層３２と、クローラ周方向Ｓに延在し一端及び他端が互いに離間した状態でクローラ本体に埋設され、長さ方向の端縁がクローラ周方向Ｓに対して傾斜しかつ第１補強コード層３２の端縁に対して交差方向に延在する第２補強コード層３４と、を備え、第１補強コード層３２の幅方向両側の側縁が第２補強コード層３４の幅方向のいずれの側縁とも重ならないように第１補強コード層３２及び第２補強コード層３４を配置した。【選択図】図４
2018008553.tif 000002
【特許請求の範囲】
【請求項１】
無端帯状のクローラ本体と、
クローラ周方向に延在し一端及び他端が互いに離間した状態で前記クローラ本体に埋設され、長さ方向の端縁が前記クローラ周方向に対して傾斜した第１補強コード層と、
前記クローラ周方向に延在し一端及び他端が互いに離間した状態で前記クローラ本体に埋設され、長さ方向の端縁が前記クローラ周方向に対して傾斜しかつ前記第１補強コード層の端縁に対して交差方向に延在する第２補強コード層と、
を備え、
前記第１補強コード層の幅方向両側の側縁が前記第２補強コード層の幅方向のいずれの側縁とも重ならないように前記第１補強コード層及び前記第２補強コード層を配置したゴムクローラ。
【請求項２】
前記クローラ周方向において前記第１補強コード層の先端部と前記第２補強コード層の先端部とが重複する請求項１に記載のゴムクローラ。
【請求項３】
前記クローラ本体に埋設された状態で前記クローラ周方向に延設され、一端部及び他端部が重ねられた重ね部を有するメインコード層を備え、
前記第１補強コード層の端部及び前記第２補強コード層の端部を前記重ね部に積層するとともに、前記第１補強コード層の端縁と前記第２補強コード層の端縁との交点を前記重ね部の前記クローラ周方向の縁が形成する線上又は前記重ね部に配置した請求項１又は請求項２に記載のゴムクローラ。
【請求項４】
クローラに備えられる回転輪が転動する転動面がクローラ厚み方向視で前記第１補強コード層と前記第２補強コード層とが重なる領域と重複する請求項１〜請求項３のいずれか１項に記載のゴムクローラ。
【請求項５】
前記クローラ周方向に延在し前記クローラ本体に埋設されたメインコード層を備え、
前記第１補強コード層及び前記第２補強コード層を前記メインコード層より幅狭に形成し、前記第１補強コード層及び前記第２補強コード層を前記メインコード層に積層した請求項１〜請求項３のいずれか１項に記載のゴムクローラ。
【発明の詳細な説明】
【技術分野】
【０００１】
本発明は、補強コード層が設けられたゴムクローラに関する。
【背景技術】
【０００２】
従来、クローラ式車両の駆動輪と従動輪とには、無端帯状のゴムクローラが巻回されている（例えば、特許文献１参照）。このゴムクローラのクローラ本体８０２内には、図５に示すように、メインコード層８０４が設けられており、メインコード層８０４は、クローラ周方向Ｓに延在するとともにクローラ幅方向Ｗに複数並設されたスチールコード８０４Ａを備えている。
【０００３】
このメインコード層８０４には、第１補強コード層８０８及び第２補強コード層８１０が積層されている。第１補強コード層８０８は、クローラ幅方向に対し傾斜して延在する複数の第１補強コード８０８Ａを備えている。第２補強コード層８１０は、クローラ幅方向に対して傾斜するとともに第１補強コード８０８Ａに対して交差方向に延在する複数の第２補強コード８１０Ａを備えている。
【０００４】
第１補強コード層８０８及び第２補強コード層８１０の端部は、先端が尖った形状に形成されている。これにより、第１補強コード層８０８の一端部では、一縁側の先端に鋭角部８０８Ｂが形成され、第１補強コード層８０８の他端部では、他縁側の先端に鋭角部８０８Ｃが形成されている。また、第２補強コード層８１０の一端部では、他縁側の先端に鋭角部８１０Ｂが形成されており、第２補強コード層８１０の他端部では、一縁側の先端に鋭角部８１０Ｃが形成されている。
【先行技術文献】
【特許文献】
【０００５】
【特許文献１】特開２０１０−０４７０８０号公報
【発明の概要】
【発明が解決しようとする課題】
【０００６】
このようなゴムクローラにおいて、例えば第１補強コード層８０８の一端部が第２補強コード層８１０の他端部に達した場合、第１補強コード層８０８の鋭角部８０８Ｂ、８０８Ｃと第２補強コード層８１０の鋭角部８１０Ｂ，８１０Ｃとが重なることとなる。
【０００７】
この場合、第１補強コード層８０８と第２補強コード層８１０との重なり部分と、周囲との剛性差が高まり、振動の発生や歪みの集中による亀裂の起点となる。
【０００８】
本発明は、互いに対向する補強コード層の先端部同士の重なりを抑制することができるゴムクローラを提供することを目的とする。
【課題を解決するための手段】
【０００９】
本発明の第一の態様のゴムクローラは、無端帯状のクローラ本体と、クローラ周方向に延在し一端及び他端が互いに離間した状態で前記クローラ本体に埋設され、長さ方向の端縁が前記クローラ周方向に対して傾斜した第１補強コード層と、前記クローラ周方向に延在し一端及び他端が互いに離間した状態で前記クローラ本体に埋設され、長さ方向の端縁が前記クローラ周方向に対して傾斜しかつ前記第１補強コード層の端縁に対して交差方向に延在する第２補強コード層と、を備え、前記第１補強コード層の幅方向両側の側縁が前記第２補強コード層の幅方向のいずれの側縁とも重ならないように前記第１補強コード層及び前記第２補強コード層を配置した。
【００１０】
すなわち、第１補強コード層及び第２補強コード層は、長さ方向の端縁がクローラ周方向に対して傾斜しており、各補強コード層の端縁は、側縁側に形成された先端が最も突出し、この先端より幅方向へずれるに従って後退する。
【００１１】
そして、第１補強コード層の端縁と第２補強コード層の端縁とは交差方向に延在し、第１補強コード層の両側縁は、第２補強コード層のいずれの側縁とも重ならないように配置されている。これにより、第１補強コード層及び第２補強コード層の端部において、互いに対向する先端は、クローラ幅方向へずれた状態で配置されている。
【００１２】
このため、第１補強コード層及び第２補強コード層の先端の位置がクローラ幅方向で一致する場合と比較して、第１補強コード層及び第２補強コード層の長さ寸法を長くしても、第１補強コード層及び第２補強コード層の先端の干渉が抑制される。
【００１３】
本発明の第二の態様のゴムクローラは、第一態様において、前記クローラ周方向において前記第１補強コード層の先端部と前記第２補強コード層の先端部とが重複する。
【００１４】
これにより、クローラ周方向において、第１補強コード層の先端部と第２補強コード層の先端部とが重複する領域を形成することができる。このため、第１補強コード層の先端の位置と第２補強コード層の先端の位置とがクローラ周方向で離間する場合と比較して、第１補強コード層及び第２補強コード層による補強領域を連続させることができる。
【００１５】
本発明の第三の態様のゴムクローラは、前記クローラ本体に埋設された状態で前記クローラ周方向に延設され、一端部及び他端部が重ねられた重ね部を有するメインコード層を備え、前記第１補強コード層の端部及び前記第２補強コード層の端部を前記重ね部に積層するとともに、前記第１補強コード層の端縁と前記第２補強コード層の端縁との交点を前記重ね部の前記クローラ周方向の縁が形成する線上又は前記重ね部に配置した。
【００１６】
すなわち、第１補強コード層の端部及び第２補強コード層の端部は、メインコード層の両端部が重ねられた重ね部に積層されており、第１補強コード層の端縁と第２補強コード層の端縁との交点は、重ね部の縁が形成する線上又は重ね部に配置されている。
【００１７】
このため、第１補強コード層及び第２補強コード層の端縁の交点が重ね部又は重ね部の縁が形成する線上から離れた位置に配置され、重ね部と交点間がメインコード層のみからなる単層構造とされる場合と比較して、剛性を高めることができかつ剛性差を抑制することができる。
【００１８】
本発明の第四の態様のゴムクローラは、第一の態様〜第三の態様のいずれか一つの態様において、クローラに備えられる回転輪が転動する転動面がクローラ厚み方向視で前記第１補強コード層と前記第２補強コード層とが重なる領域と重複する。
【００１９】
すなわち、回転輪が転動する転動面の部位では、クローラ厚み方向において第１補強コード層と第２補強コード層とが重ねて配置されている。これにより、回転輪の転動面を第１補強コード層及び第２補強コード層によって補強することができる。
【００２０】
本発明の第五の態様のゴムクローラは、第一の態様〜第三の態様のいずれか一つの態様において、前記クローラ周方向に延在し前記クローラ本体に埋設されたメインコード層を備え、前記第１補強コード層及び前記第２補強コード層を前記メインコード層より幅狭に形成し、前記第１補強コード層及び前記第２補強コード層を前記メインコード層に積層した。
【００２１】
すなわち、第１補強コード層及び第２補強コード層は、メインコード層より幅狭に形成されている。このため、第１補強コード層及び第２補強コード層をメインコード層と同幅寸法に形成する場合と比較して、第１補強コード及び第２補強コードの使用量が抑えられるとともに、軽量化を図ることができる。
【００２２】
また、クローラ幅方向の中央部において、第１補強コード層及び第２補強コード層が重なる部分を確保することができる。この場合、中央部での剛性を高めることができる。
【発明の効果】
【００２３】
本発明は上記構成としたので、互いに対向する補強コード層の先端部同士の重なりを抑制することができる。
【図面の簡単な説明】
【００２４】
【図１】本実施形態に係るゴムクローラの一部断面を含む使用状態の斜視図である。
【図２】同実施形態のゴムクローラにおける補強コード層を示した横断面図である。
【図３】図２のＡ−Ａ線断面に相当する図である。
【図４】同実施形態のクローラ本体を除いて各補強コード層の関係のみを示した平面図である。
【図５】従来例を示す図であり、クローラ本体を除いて補強コード層の関係のみを示した平面図である。
【発明を実施するための形態】
【００２５】
以下、本発明の一実施形態を図面に従って説明する。図１に示すように、本実施形態に係るゴムクローラ１０は、建設機械や農機等のクローラ式車両で用いられるものであり、クローラ式車両には、左右一対のクローラ式走行体１２が設けられている。
【００２６】
クローラ式走行体１２は、回転駆動される歯車状の駆動輪１４と車両に回転自在に支持された従動輪とが車両の前後に設けられている（駆動輪１４のみ図示）。駆動輪１４と従動輪との間には、車両に回転自在に支持された転輪１６が複数設けられており、転輪１６は、軸部１６Ａの両側に輪部１６Ｂが設けられている。
【００２７】
駆動輪１４と従動輪とには、無端帯状のゴムクローラ１０が巻回されており、ゴムクローラ１０のクローラ本体１８は、駆動輪１４によって回転駆動されるとともに、転輪１６の輪部１６Ｂがクローラ本体１８の内周面１８Ａに接して回転するように構成されている。
【００２８】
なお、本実施形態では、ゴム製のクローラ本体１８に芯金を有しないゴムクローラ１０を例に挙げて説明するが、これに限定されるものでは無く、クローラ本体１８に芯金が設けられたゴムクローラ１０であってもよい。
【００２９】
クローラ本体１８の内周面１８Ａには、複数の突起２０がクローラ周方向Ｓに等間隔で設けられており、各突起２０は、クローラ幅方向Ｗの中央部に設けられている。この突起２０は、駆動輪１４と噛合するように構成されており、駆動輪１４からの駆動力をクローラ本体１８で伝えるように構成されている。この突起２０の両脇には、転輪１６の輪部１６Ｂが通過する通路２１が平滑面で形成されている。
【００３０】
クローラ本体１８の外周面１８Ｂには、図１から図３に示すように、第１ラグ２２及び第２ラグ２４が複数突設されており、第１ラグ２２の長さ寸法は、第２ラグ２４より長く設定されている。第１ラグ２２及び第２ラグ２４は、クローラ幅方向Ｗの中心に延在する中心線Ｃを境として両側に設けられており、第１ラグ２２及び第２ラグ２４は、クローラ周方向Ｓに交互に配置されている。
【００３１】
クローラ本体１８内には、図１及び図２に示したように、例えば１層のメインコード層３０と、有端帯状の第１補強コード層３２及び第２補強コード層３４とがクローラ周方向Ｓに延在した状態で埋設されている。
【００３２】
メインコード層３０は、クローラ周方向Ｓに延びる複数のメインコード３０Ａによって構成されており、各メインコード３０Ａは、クローラ幅方向Ｗに並設されている。このメインコード３０Ａは、スチール製のスチールコードからなり、スチールコードと言い換えることができる。
【００３３】
メインコード層３０は、図４に示すように、有端帯状であって一端部と他端部がクローラ厚み方向Ｔ（図１及び図３参照）に重ねられており、メインコード３０Ａの一端縁３０Ｂから他端縁３０Ｃまでの範囲にメインコード３０Ａの両端部が重ねられた重ね部３６が形成されている。この重ね部３６は、軽量化及び他の領域との剛性差の関係から、一端縁３０Ｂから他端縁３０Ｃまでの範囲は狭い方が良く、一端縁３０Ｂから他端縁３０Ｃまでの長さが適切な長さ寸法に設定されている。
【００３４】
なお、本実施形態では、複数のメインコード３０Ａを並設してメインコード層３０を形成した場合について説明するが、これに限定されるものではない。例えば一本のメインコード３０Ａをスパイラル状に巻回してメインコード層３０を形成しても本実施形態の効果を得ることができる。
【００３５】
第１補強コード層３２は、図１及び図４に示すように、並設された複数の第１補強コード３２Ａによって構成されている。第１補強コード３２Ａは、第１バイアスコードと言い換えることができる。第１補強コード３２Ａは、メインコード３０Ａより細いスチールコードや脂肪族ポリアミドやポリエステル系合成繊維等で構成されており、メインコード３０Ａより剛性が低い素材で構成されている。
【００３６】
第１補強コード３２Ａは、クローラ周方向Ｓに対して所定の角度で傾斜して配置されている。クローラ周方向Ｓに対する第１補強コード３２Ａの傾斜角度としては、適正な角度が定められており、第１補強コード３２Ａの傾斜角度は、適正角度の範囲内に設定されている。
【００３７】
これにより、第１補強コード層３２の一端部には、当該第１補強コード層３２の一側縁３２Ｂ側に鋭角を成す第１一端側鋭角部３２Ｃが形成されており、第１補強コード層３２の一端側の端縁３２Ｄは、クローラ周方向Ｓ及びクローラ幅方向Ｗに対して傾斜している。
【００３８】
また、第１補強コード層３２の他端部には、当該第１補強コード層３２の他側縁３２Ｅ側に鋭角を成す第１他端側鋭角部３２Ｆが形成されており、第１補強コード層３２の他端側の端縁３２Ｇは、クローラ周方向Ｓ及びクローラ幅方向Ｗに対して傾斜している。そして、第１補強コード層３２の一端及び他端は互いに離間した状態でクローラ本体１８に埋設されている。
【００３９】
第２補強コード層３４は、並設された複数の第２補強コード３４Ａによって構成されており、第２補強コード３４Ａは、第２バイアスコードと言い換えることができる。第２補強コード３４Ａは、メインコード３０Ａより細いスチールコードや脂肪族ポリアミドやポリエステル系合成繊維等で構成されており、メインコード３０Ａより剛性が低い素材で構成されている。
【００４０】
第２補強コード３４Ａは、クローラ周方向Ｓに対して所定の角度で傾斜するとともに第１補強コード３２Ａと逆側に傾斜し交差方向に延在するように配置されている。クローラ周方向Ｓに対する第２補強コード３４Ａの傾斜角度としては、第１補強コード３２Ａと同様に適正な角度が定められており、第２補強コード３４Ａの傾斜角度は、適正角度の範囲内に設定されている。
【００４１】
これにより、第２補強コード層３４の一端部には、当該第２補強コード層３４の他側縁３４Ｂ側に鋭角を成す第２一端側鋭角部３４Ｃが形成されており、第２補強コード層３４の一端側の端縁３４Ｄは、クローラ周方向Ｓ及びクローラ幅方向Ｗに対して傾斜している。
【００４２】
また、第２補強コード層３４の他端部には、当該第２補強コード層３４の一側縁３４Ｅ側に鋭角を成す第２他端側鋭角部３２Ｆが形成されており、第２補強コード層３４の他端側の端縁３２Ｇは、クローラ周方向Ｓ及びクローラ幅方向Ｗに対して傾斜している。そして、第２補強コード層３４の一端及び他端は互いに離間した状態でクローラ本体１８に埋設されている。
【００４３】
第１補強コード層３２の幅寸法は、メインコード層３０の幅寸法より狭く設定されており、第１補強コード層３２は、図１に示したように、メインコード層３０よりクローラ本体１８の外周面１８Ｂ側に積層されている。第１補強コード層３２の他側縁３２Ｅは、メインコード層３０の他側縁３０Ｆ上に配置されており、第１補強コード層３２の一側縁３２Ｂは、メインコード層３０の一側縁３０Ｇより内側に配置されている。
【００４４】
第２補強コード層３４の幅寸法は、メインコード層３０の幅寸法より狭く設定されており、第１補強コード層３２の幅寸法とほぼ同じ幅に設定されている。第２補強コード層３４は、第１補強コード層３２よりクローラ本体１８の外周面１８Ｂ側に積層されている。第２補強コード層３４の一側縁３４Ｅは、メインコード層３０の一側縁３０Ｇ上に配置されており、第２補強コード層３４の他側縁３４Ｂは、メインコード層３０の他側縁３０Ｆより内側に配置されている。
【００４５】
これにより、第１補強コード層３２の幅方向両側の側縁３２Ｂ、３２Ｅは、第２補強コード層３４の幅方向のいずれの側縁３４Ｂ、３４Ｅとも重ならないように第１補強コード層３２と第２補強コード層３４とが配置されている。
【００４６】
第１補強コード層３２の一端部に設けられた第１一端側鋭角部３２Ｃの先端３２Ｊと、第２補強コード層３４の他端部に設けられた第２他端側鋭角部３４Ｆの先端３４Ｊとは、クローラ幅方向Ｗへずれた位置に配置されている。また、第１補強コード層３２の他端部に設けられた第１他端側鋭角部３２Ｆの先端３２Ｋと、第２補強コード層３４の一端部に設けられた第２一端側鋭角部３４Ｃの先端３４Ｋとは、クローラ幅方向Ｗへずれた位置に配置されている。
【００４７】
なお、本実施形態では、第１及び第２補強コード層３２、３４の先端部を、鋭角を成す鋭角部３２Ｃ、３２Ｆ、３４Ｃ、３４Ｆで構成した場合について説明するが、本願発明は、この形状に限定されるものではない。例えば、第１及び第２補強コード層３２、３４の先端３２Ｊ、３２Ｋ、３４Ｊ、３４Ｋを面取りし、鋭角を成さない形状としても本願発明に含まれる。
【００４８】
そして、第１補強コード層３２の第１一端側鋭角部３２Ｃの先端３２Ｊは、該先端３２Ｊに近接した第２補強コード層３４の第２他端側鋭角部３４Ｆの先端３４Ｊの位置より当該第２補強コード層３４の一端側に配置されている。また、第１補強コード層３２の第１他端側鋭角部３２Ｆの先端３２Ｋは、該先端３２Ｋに近接した第２補強コード層３４の第２一端側鋭角部３４Ｃの先端３４Ｋの位置より当該第２補強コード層３４の他端側に配置されている。
【００４９】
これにより、クローラ周方向Ｓにおいて第１補強コード層３２の先端部と第２補強コード層３４の先端部とが重複し、クローラ本体１８には、第１補強コード層３２の先端部と第２補強コード層３４の先端部とがクローラ周方向で重複する領域Ｒ１、Ｒ２が形成されている。
【００５０】
第１補強コード層３２と第２補強コード層３４とは、クローラ幅方向Ｗの中心部で積層されており、クローラ本体１８には、第１補強コード層３２と第２補強コード層３４とが積層された積層領域４０が設けられている。この積層領域４０が位置するクローラ本体１８の内周面１８Ａの部位には、図１に示したように、クローラに備えられる回転輪の一例である転輪１６の輪部１６Ｂが接して転動する転動面を構成する通路２１が設定されている。
【００５１】
これにより、転輪１６が転動する転動面としての通路２１が、クローラ厚み方向視で第１補強コード層３２と第２補強コード層３４とが重なる領域と重複するように構成されている。
【００５２】
また、図４に示したように、第１補強コード層３２の各端部に設けられた第１一端側鋭角部３２Ｃ及び第１他端側鋭角部３２Ｆの先端部分は、メインコード層３０の重ね部３６に積層されている。また、第２補強コード層３４の各端部に設けられた第２一端側鋭角部３４Ｃ及び第２他端側鋭角部３２Ｆの先端部分も、メインコード層３０の重ね部３６に積層されている。
【００５３】
メインコード層３０の重ね部３６に積層された第１補強コード層３２及び第２補強コード層３４は、メインコード３０Ａより剛性の低い第１補強コード３２Ａ及び第２補強コード３４Ａで構成されている。これにより、第１補強コード層３２及び第２補強コード層３４が積層された部分と積層されない部分との剛性差が抑制されている。
【００５４】
第１補強コード層３２の一端側の端縁３２Ｄと第２補強コード層３４の一端側の端縁３４Ｄとは、前述した中心線Ｃ上で交差しており、交点としての一端側交差点４２が形成されている。また、第１補強コード層３２の他端側の端縁３２Ｇと第２補強コード層３４の他端側の端縁３４Ｇとは、中心線Ｃ上で交差しており、交点としての他端側交差点４４が形成されている。
【００５５】
メインコード層３０の重ね部３６において、クローラ周方向Ｓの一方の縁が形成する第１線３６Ａ上には、一端側交差点４２が配置されている。また、重ね部３６において、クローラ周方向Ｓの他方の縁が形成する第２線上３６Ｂには、他端側交差点４４が配置されている。
【００５６】
以上の構成に係る本実施形態の作用を説明する。クローラ本体１８に埋設された第１補強コード層３２の一端側の端縁３２Ｄは、クローラ周方向Ｓに対して傾斜している。これにより、第１補強コード層３２の一端側の端縁３２Ｄは、一側縁３２Ｂ側に形成された先端３２Ｊが最も突出し、この先端３２Ｊより幅方向へずれるに従って後退する。この第１補強コード層３２の他端側の端縁３２Ｇも、クローラ周方向Ｓに対して傾斜しており、第１補強コード層３２の他端側の端縁３２Ｇは、他側縁３２Ｅ側に形成された先端３２Ｋが最も突出し、この先端３２Ｋより幅方向へずれるに従って後退する。
【００５７】
また、クローラ本体１８に埋設された第２補強コード層３４の一端側の端縁３４Ｄは、クローラ周方向Ｓに対して傾斜している。これにより、第２補強コード層３４の一端側の端縁３４Ｄは、他側縁３４Ｂ側に形成された先端３４Ｋが最も突出し、この先端３４Ｋより幅方向へずれるに従って後退する。この第２補強コード層３４の他端側の端縁３４Ｇも、クローラ周方向Ｓに対して傾斜しており、第２補強コード層３４の他端側の端縁３４Ｇは、一側縁３４Ｅ側に形成された先端３２Ｊが最も突出し、この先端３２Ｊより幅方向へずれるに従って後退する。
【００５８】
そして、第１補強コード層３２の端縁３２Ｄ、３２Ｇと、第２補強コード層３４の端縁３４Ｄ、３４Ｇとは互いに交差方向に延在している。また、第１補強コード層３２の両側縁３２Ｂ、３２Ｅは、第２補強コード層３４のいずれの側縁３４Ｂ、３４Ｅとも重ならないように配置されている。これにより、第１補強コード層３２及び第２補強コード層３４の端部において、互いに対向する先端３２Ｋ、３４Ｋ、３２Ｊ、３４Ｊは、クローラ幅方向Ｗへずれた状態で配置されている。
【００５９】
このため、第１及び第２補強コード層３２、３４の先端３２Ｊ、３２Ｋ、３４Ｊ、３４Ｋの位置がクローラ幅方向Ｗで一致する場合と比較して、第１及び第２補強コード層３２、３４を長くしても、第１及び第２補強コード層３２、３４の干渉が抑制される。
【００６０】
したがって、第１補強コード層３２及び第２補強コード層３４の先端部の重なりを抑制することができる。
【００６１】
また、クローラ本体１８には、ローラ周方向Ｓにおいて第１補強コード層３２の先端部と第２補強コード層３４の先端部とが重複する領域Ｒ１、Ｒ２を形成されている。このため、第１補強コード層３２の先端３２Ｊ、３２Ｋの位置と第２補強コード層３４の先端３４Ｊ、３４Ｋの位置とがクローラ周方向Ｓで離間する場合と比較して、第１補強コード層３２及び第２補強コード層３４による補強領域を連続させることができる。
【００６２】
そして、第１補強コード層３２の端縁３２Ｄ、３２Ｇと第２補強コード層３４の端縁３４Ｄ、３４Ｇとが交差する交差点４２、４４は、メインコード３０Ａが重ねられた重ね部３６の縁が形成する第１及び第２線３６Ａ、３６Ｂ上に配置されている。
【００６３】
ここで、第１及び第２補強コード層３２、３４の端縁３２Ｄ、３２Ｇ、３４Ｄ、３４Ｇの交差点４２、４４が重ね部３６の縁の第１及び第２線３６Ａ、３６Ｂから離れた場合、重ね部３６と各交差点４２、４４との間がメインコード層３０のみからなる単層構造となる。このため、このような場合と比較して、重ね部３６と各交差点４２、４４間の部位での剛性を高めることができるとともに、他の部位との剛性差を抑制することができる。これにより、高剛性部と低剛性部の剛性差に起因した振動不良や歪みの集中による亀裂の発生を抑制することができる。
【００６４】
また、転輪１６の輪部１６Ｂが転動する通路２１の下層には、メインコード層３０に加えて第１補強コード層３２と第２補強コード層３４とが重ねて配置されている。これにより、転輪１６の転動部位を第１補強コード層３２及び第２補強コード層３４によって補強することができる。
【００６５】
また、第１補強コード層３２及び第２補強コード層３４は、メインコード層３０より幅狭に形成されている。このため、第１補強コード層３２及び第２補強コード層３４をメインコード層３０と同幅に形成する場合と比較して、第１補強コード３２Ａ及び第２補強コード３４Ａの使用量を抑えることができるとともに、軽量化を図ることができる。
【００６６】
また、クローラ幅方向Ｗの中央部において、第１補強コード層３２及び第２補強コード層３４が重なる部分を確保することができる。このため、駆動力が伝達される突起２０が設けられたクローラ本体１８の中央部での剛性を高めることができる。
【００６７】
なお、本実施形態では、メインコード層３０を設けた場合について説明したが、メインコード層３０は無くても、本願の効果を得ることができる。また、第１補強コード層３２及び第２補強コード層３４を、メインコード層３０より幅狭に形成したが、メインコード層３０と同幅寸法又はメインコード層３０より幅広に形成しても、本願の効果を得ることができる。
【００６８】
さらに、本実施形態では、第１補強コード層３２の先端３２Ｊを第２補強コード層３４の先端３４Ｊより第２補強コード層３４の一端側に配置し、第１補強コード層３２の先端３２Ｋを第２補強コード層３４の先端３４Ｋより第２補強コード層３４の他端側に配置 た。しかし、第１補強コード層３２の先端３２Ｊ、３２Ｋを第２補強コード層３４の先端３４Ｊ、３４Ｋより手前に配置しても、本願の効果を得ることができる。
【００６９】
また、本実施形態では、第１補強コード層３２の端縁３２Ｄ、３２Ｇと第２補強コード層３４の端縁３４Ｄ、３４Ｇとの交差点４２、４４を、メインコード層３０の重ね部３６の縁が形成する第１及び第２線３６Ａ、３６Ｂ上に配置した場合について説明した。しかし、この構成に限定されるものではない。
【００７０】
例えば、他の実施形態として、一端側交差点４２及び他端側交差点４４をメインコード層３０の重ね部３６上に配置することができる。
【００７１】
この場合も、第１及び第２補強コード層３２、３４の端縁３２Ｄ、３２Ｇ、３４Ｄ、３４Ｇの交差点４２、４４と重ね部３６との間がメインコード層３０のみの単層構造となる場合と比較して、当該部位での剛性を高めることができる。
また、第１及び第２補強コード層３２、３４とメインコード層３０の３層が重なった場合、この部分で剛性が他の部分より高くなる。この場合、剛性差が生じ、振動の発生や歪みの集中により亀裂の起点となる可能性があるが、本実施形態では、これらの現象を抑制することができる。
【符号の説明】
【００７２】
１０  ゴムクローラ、１６  転輪、１８  クローラ本体、２２  通路、３０  メインコード層、３０Ａ  メインコード、３２  補強コード層、３２Ａ  補強コード、３２Ｃ  一端側鋭角部、３２Ｆ  他端側鋭角部、３２Ｊ  先端、３２Ｋ  先端、３４  補強コード層、３４Ａ  補強コード、３４Ｃ  一端側鋭角部、３４Ｆ  他端側鋭角部、３４Ｊ  先端、３４Ｋ  先端、３６Ａ  第１線、３６Ｂ  第２線、４０  積層領域、４２  一端側交差点、４４  他端側交差点、Ｃ  中心線、Ｓ  クローラ周方向、Ｗ  クローラ幅方向
【図１】
2018008553.tif 000003
【図２】
2018008553.tif 000004
【図３】
2018008553.tif 000005
【図４】
2018008553.tif 000006
【図５】
2018008553.tif 000007